(57)【要約】【課題】真贋の判定が容易であり、且つ、偽造が困難である個人情報表示体を提供する。【解決手段】所有者の個人情報を表示する個人情報表示体１０は、表示体本体２０と、表示体本体に設けられ、個人情報を含む所定の情報を表示する表示部４３と、を備える。表示部は、複数の単位表示部５０，・・・，５０からなる。各単位表示部は、所定の情報に基づいて、予め定められた色決定アルゴリズムに従って決定された色に着色されている。複数の単位表示部からなる表示部は、複数の色に着色されている。【選択図】図１
2014008730.tif 000002
【特許請求の範囲】
【請求項１】
所有者の個人情報を表示する個人情報表示体であって、
表示体本体と、
前記表示体本体に設けられ、前記個人情報を含む所定の情報を表示する表示部と、を備え、
前記表示部は、複数の単位表示部からなり、
前記各単位表示部は、前記所定の情報に基づいて、予め定められた色決定アルゴリズムに従って決定された色に着色されており、
前記複数の単位表示部からなる前記表示部は、複数の色に着色されている
ことを特徴とする個人情報表示体。
【請求項２】
前記各単位表示部は、前記個人情報に基づいて、前記色決定アルゴリズムに従って決定された色に着色されていることを特徴とする請求項１に記載の個人情報表示体。
【請求項３】
前記個人情報は、複数の単位個人情報を含み、
予め定められた前記単位個人情報を表示している前記各単位表示部は、表示している単位個人情報とは異なる単位個人情報に基づいて、前記色決定アルゴリズムに従って決定された色に着色されている
ことを特徴とする請求項２に記載の個人情報表示体。
【請求項４】
前記所定の情報は、前記個人情報表示体の属性を表す属性情報を含み、
前記各単位表示部は、前記属性情報に基づいて、前記色決定アルゴリズムに従って決定された色に着色されている
ことを特徴とする請求項１に記載の個人情報表示体。
【請求項５】
少なくとも１つの前記単位表示部は、蛍光発光材料を含み、
前記蛍光発光材料を含む単位表示部は、前記所定の情報に基づいて、予め定められたアルゴリズムに従って決定されており、
前記蛍光発光材料を含む前記単位表示部の色は、不可視光を照射されたとき、前記蛍光発光材料を含まない他の単位表示部の色とは異なる色として視認される
ことを特徴とする請求項１から請求項４の何れかに記載の個人情報表示体。
【請求項６】
所有者の個人情報を表示する個人情報表示体であって、
表示体本体と、
前記表示体本体に設けられ、前記個人情報を含む所定の情報を表示する表示部と、を備え、
前記表示部は、複数の単位表示部からなり、
少なくとも１つの前記単位表示部は、蛍光発光材料を含み、
前記蛍光発光材料を含む単位表示部は、前記所定の情報に基づいて、予め定められたアルゴリズムに従って決定されており、
前記蛍光発光材料を含む前記単位表示部の色は、不可視光を照射されたとき、前記蛍光発光材料を含まない他の単位表示部の色とは異なる色として視認される
ことを特徴とする個人情報表示体。
【発明の詳細な説明】
【技術分野】
【０００１】
本発明は、個人情報を表示する個人情報表示体に関する。
【背景技術】
【０００２】
所有者の身元や資格等を証明するための媒体として、当該所有者の個人情報を記録した個人情報表示体が広く利用されてきた。個人情報表示体として、パスポート、運転免許証、健康保険証、キャッシュカード、クレジットカード、社員証、会員証等が例示される。例えば特許文献１にも開示されているように、このような個人情報表示体に対しては、その用途に対応して、真贋の判定が容易であることのほか、効果的に偽造を防止し得ることが要望される。このような要望に応えるべく、様々なセキュリティ技術が個人情報表示体の個人情報の表示面に適用されてきているが、偽造防止性は高いほうが好ましい。
【先行技術文献】
【特許文献】
【０００３】
【特許文献１】特開２００６−１０３２２１号公報
【発明の概要】
【発明が解決しようとする課題】
【０００４】
本発明は以上の点を考慮してなされたものであり、真贋の判定が容易であり、且つ、偽造が困難である個人情報表示体を提供することを目的とする。
【課題を解決するための手段】
【０００５】
本発明による個人情報表示体は、
所有者の個人情報を表示する個人情報表示体であって、
表示体本体と、
前記表示体本体に設けられ、前記個人情報を含む所定の情報を表示する表示部と、を備え、
前記表示部は、複数の単位表示部からなり、
前記各単位表示部は、前記所定の情報に基づいて、予め定められた色決定アルゴリズムに従って決定された色に着色されており、
前記複数の単位表示部からなる前記表示部は、複数の色に着色されている
ことを特徴とする。
【０００６】
本発明による個人情報表示体において、
前記各単位表示部は、文字、数字および記号の何れかを表してもよい。
【０００７】
本発明による個人情報表示体において、
前記各単位表示部は、前記個人情報に基づいて、前記色決定アルゴリズムに従って決定された色に着色されていてもよい。
【０００８】
本発明による個人情報表示体において、
前記個人情報は、複数の単位個人情報を含み、
予め定められた前記単位個人情報を表示している前記各単位表示部は、表示している単位個人情報とは異なる単位個人情報に基づいて、前記色決定アルゴリズムに従って決定された色に着色されていてもよい。
【０００９】
本発明による個人情報表示体において、
前記所定の情報は、前記個人情報表示体の属性を表す属性情報を含み、
前記各単位表示部は、前記属性情報に基づいて、前記色決定アルゴリズムに従って決定された色に着色されていてもよい。
【００１０】
本発明による個人情報表示体において、
前記属性情報は、発行年、発行場所および仕向地の少なくとも何れかを含んでもよい。
【００１１】
本発明による個人情報表示体において、
少なくとも１つの前記単位表示部は、蛍光発光材料を含み、
前記蛍光発光材料を含む単位表示部は、前記所定の情報に基づいて、予め定められたアルゴリズムに従って決定されており、
前記蛍光発光材料を含む前記単位表示部の色は、不可視光を照射されたとき、前記蛍光発光材料を含まない他の単位表示部の色とは異なる色として視認されてもよい。
【００１２】
本発明による個人情報表示体は、
所有者の個人情報を表示する個人情報表示体であって、
表示体本体と、
前記表示体本体に設けられ、前記個人情報を含む所定の情報を表示する表示部と、を備え、
前記表示部は、複数の単位表示部からなり、
少なくとも１つの前記単位表示部は、蛍光発光材料を含み、
前記蛍光発光材料を含む単位表示部は、前記所定の情報に基づいて、予め定められたアルゴリズムに従って決定されており、
前記蛍光発光材料を含む前記単位表示部の色は、不可視光を照射されたとき、前記蛍光発光材料を含まない他の単位表示部の色とは異なる色として視認される
ことを特徴とする。
【発明の効果】
【００１３】
本発明によれば、真贋の判定が容易であり、且つ、偽造が困難である個人情報表示体を提供できる。
【図面の簡単な説明】
【００１４】
【図１】第１の実施形態に係る個人情報表示体の一例を示す平面図である。
【図２】図１の個人情報表示体の断面図である。
【図３】図１の個人情報表示体における識別番号を表示する単位表示部を拡大して示す図である。
【発明を実施するための形態】
【００１５】
以下、図面を参照して本発明の実施形態について説明する。なお、本件明細書に添付する図面においては、図示と理解のしやすさの便宜上、適宜縮尺および縦横の寸法比等を、実物のそれらから変更し誇張してある。
【００１６】
（第１の実施形態）
第１の実施形態は、個人情報表示体における個人情報等を表示する各単位表示部が、個人情報等に基づいて着色されていることを特徴の１つとする。
【００１７】
図１は、第１の実施形態に係る個人情報表示体１０の一例を示す平面図である。図１に示すように、個人情報表示体１０は、所有者の個人情報を表示する媒体、即ち個人情報が記録された媒体である。個人情報表示体１０の具体的な用途として、パスポート、運転免許証、健康保険証、キャッシュカード、クレジットカード、社員証、会員証等を例示することができる。ここで個人情報表示体１０に記録される個人情報とは、個人に関する情報のことであり、典型的には当該個人情報表示体１０を付与された特定人に関連した情報のことである。この個人情報には、氏名、生年月日、性別等の広く社会一般で用いられる情報に限られることなく、社員番号や会員番号等のような特定の組織との関連において用いられる個人に関連した情報、一定の期間の間だけ個人に割り当てられた情報等も含まれる。したがって、個人情報表示体１０の発行者からすれば、個人情報表示体１０に記録される個人情報とは、各個人に付与される個人情報表示体１０毎に個別に対応しなければならない情報となる。
【００１８】
このような個人情報表示体１０は、一例として、特定人の身元や資格等を証明するために、当該特定人に対して付与される。個人情報表示体１０の発行者は、個人情報表示体１０に表示される情報に基づいて、個人情報表示体１０の所有者を管理することができる。具体例として、ある組織、例えば会社が、当該組織の構成員、例えば当該会社の社員に対して、当該組織に属することを証明するための媒体として個人情報表示体１０、例えば社員証を付与する。当該組織は、個人情報表示体１０によって表示される所有者の個人情報に基づき、敷地内や室内等への入退場の管理、具体的には入退場の制限や入退場の記録や勤怠の管理等を行うことができる。したがって、個人情報表示体１０に対しては、所有者の認証が容易であること、言い換えると個人情報表示体１０の真贋の判定が容易であること、並びに、偽造、改竄が困難であることが要望される。
【００１９】
図１に示すように、個人情報表示体１０は、個人情報表示体１０が付与されるべき特定人の個人情報を表示するための表示部を有している。図１に示された例では、第１〜第３表示部４１，４２，４３が個人情報表示体１０に設けられている。図１に示すように、個人情報表示体１０は、カード状に形成されている。そして、個人情報表示体１０は、カード状の表示体本体２０と、表示体本体２０上に積層されたカバー層３４と、を有している。表示部４１，４２，４３は、表示体本体２０に設けられ、表示体本体２０とカバー層３４との間、或いは、表示体本体２０の内部に位置している。
【００２０】
ここで説明する例において、表示部を形成される前の表示体本体２０は、発行されるすべての個人情報表示体１０の間で共通の構成を有している。図２に示すように、表示体本体２０は、カードの芯をなす互いに積層された第１コア層２２および第２コア層２３と、コア層２２，２３の両側にそれぞれ積層された第１背景印刷層２５および第２背景印刷層２６と、背景印刷層２５，２６の両側にそれぞれ積層された第１オーバーシート層２８および第２オーバーシート層２９と、を有している。
【００２１】
背景印刷層２５，２６は、後述するレーザーエングレービングにより個人情報を記録される態様等の特殊な場合を除くと、発行される個人情報表示体１０の間で共通するパターン、例えば、地紋等を印刷された層である。オーバーシート層２８，２９は、保護層として機能する。とりわけ、図２に示された例において、第２オーバーシート層２９は、カード状の個人情報表示体１０の最表面を形成する。オーバーシート層２８，２９によって、背景印刷層２５，２６に印刷されたパターンが保護される。オーバーシート層２８，２９は、背景印刷層２５，２６に印刷されたパターンを視認可能とするため、無色でも有色でもよいが、透明または半透明となっていることが好ましい。また、第１オーバーシート層２８に設けられるカバー層３４も、表示部によって表示される個人情報および背景印刷層２５，２６に印刷されたパターンを視認可能とするため、無色でも有色でもよいが、透明または半透明となっている。
【００２２】
表示体本体２０をなす各層並びにカバー層３４は、例えばＩＤカードのカード本体に用いられる既知の材料を用いて既知の方法にて作製され得る。
【００２３】
次に、表示部４１，４２，４３について詳述する。個人情報表示体１０には、上述したように、個人情報表示体１０の所有者となるべき特定人の個人情報を表示するための表示部４１，４２，４３が、表示体本体２０上または表示体本体２０の内部に設けられている。表示体本体２０の第１オーバーシート層２８上に積層されたカバー層３４は、表示部４１，４２，４３を覆い、表示部４１，４２，４３を保護する。
【００２４】
図１に示された例において、第１表示部４１および第２表示部４２は、特定人の像として、顔を含む上半身を表示している。第１表示部４１は第２表示部４２より小さい。第１表示部４１は、第２表示部４２とは材料および作製方法の少なくとも一方が異なる。
【００２５】
図示された例のように、個人情報表示体１０が、所有者の像、とりわけ顔を含む像を表示する場合、所有者の認証、並びに、認証結果に基づいた個人情報表示体１０の真贋判定を容易かつ正確に行うことができる。
【００２６】
一方、図１の例では、第３表示部４３は、個人情報である氏名４３ａ、性別４３ｂ、生年月日４３ｃおよび識別番号４３ｄを表示している。具体的には、第３表示部４３は、この個人情報を表示する複数の単位表示部５０，・・・，５０からなる。各単位表示部５０は、文字、数字および記号の何れかを表す。ある１つの単位表示部５０は１色に着色されており、複数の単位表示部５０，・・・，５０からなる第３表示部４３は複数の色に着色されている。
【００２７】
本明細書において「単位表示部５０は着色されている」とは、１つの単位表示部５０の色が白又は黒を含む１色以上からなることを表す。
【００２８】
図３は、図１の個人情報表示体１０における識別番号４３ｄを表示する単位表示部５０，・・・，５０を拡大して示す図である。図３に示すように、識別番号４３ｄは、「０１２３４５６７８９」という数字の列を表す第１〜第１０番目の単位表示部５０，・・・，５０によって表示されている。第１〜第１０番目の単位表示部５０，・・・，５０は、複数の色に着色されている。このように第１〜第１０番目の単位表示部５０，・・・，５０は、着色された数字を表すため、カラーナンバーと称することもできる。
【００２９】
氏名４３ａ、性別４３ｂ、生年月日４３ｃおよび識別番号４３ｄを、それぞれ単位個人情報とも称する。つまり、個人情報は、複数の単位個人情報を含んでいる。
【００３０】
図示は省略するが、第３表示部４３は、個人情報のみに限らず、個人情報を含む所定の情報を表示する複数の単位表示部５０，・・・，５０を有してもよい。所定の情報は、個人情報表示体１０の属性を表す属性情報を含んでいてもよい。この属性情報は、例えば、個人情報表示体１０の発行年、発行年月、発行場所および仕向地の少なくとも何れかを含んでもよい。
【００３１】
各単位表示部５０は、複数の単位表示部５０，・・・，５０からなる第３表示部４３が表示している所定の情報に基づいて、予め定められた色決定アルゴリズムに従って決定された色に着色されている。具体的には、各単位表示部５０は、上記所定の情報に含まれている個人情報と属性情報の少なくとも何れかに基づいて色決定アルゴリズムに従って決定された色に着色されている。つまり、単位表示部５０，・・・，５０の色の配列は、コード化された情報を表していると言うこともできる。
【００３２】
色決定アルゴリズムとしては、個人情報表示体１０に表示された所定の情報に応じて各単位表示部５０の色を決定できれば、どのようなものを採用してもよい。個人情報表示体１０の発行者は、個人情報表示体１０の製造に先立ってどのようなアルゴリズムを採用するか決めておき、複数の個人情報表示体を同一のアルゴリズムを用いて製造してもよい。これにより、後述する真贋判定を容易に行うことができる。以下に、色決定アルゴリズムの例１〜例３を説明する。
【００３３】
（色決定アルゴリズムの例１）
色決定アルゴリズムとして、ある１つの単位表示部５０、例えば識別番号４３ｄの「０」を表示している第１番目の単位表示部５０の色を性別に応じて第１色または第２色に決定し、他の１つの単位表示部５０、例えば識別番号４３ｄの「１」を表示している第２番目の単位表示部５０の色を生年月日に応じて第１色〜第３色の何れかに決定し、これら以外の複数の単位表示部、例えば識別番号４３ｄの「２３４５６７８９」を表示している第３〜第１０番目の単位表示部５０，・・・，５０および他の単位個人情報を表示している単位表示部５０，・・・，５０の色を予め定められた第４色に決定するアルゴリズムを採用してもよい。
【００３４】
つまり、この例１では、各単位表示部５０の色は、個人情報に基づいて決定されている。より具体的には、予め定められた単位個人情報である識別番号４３ｄを表示している各単位表示部５０は、表示している単位個人情報とは異なる単位個人情報（性別４３ｂおよび生年月日４３ｃ）に基づいて、色決定アルゴリズムに従って決定された色に着色されている。
【００３５】
例えば、性別が男性の場合、第１番目の単位表示部５０の色を第１色に決定し、性別が女性の場合、第１番目の単位表示部５０の色を第２色に決定してもよい。
【００３６】
また、第２番目の単位表示部５０の色を、例えば、生年月日が第１の範囲である場合、第１色に決定し、生年月日が第２の範囲である場合、第２色に決定し、生年月日が第３の範囲である場合、第３色に決定してもよい。第１色〜第４色は、互いに異なる色として視認できればどのような色でもよく、白と黒の少なくとも何れかを含んでもよい。
【００３７】
また、性別及び生年月日に加えて、個人情報に含まれる他の複数の単位個人情報も用いて複数の単位表示部５０，・・・，５０の色を決定してもよい。また、複数の単位個人情報の何れか１つのみを用いて、ある１つの単位表示部５０の色を決定してもよい。また、予め定められた単位個人情報を表示している各単位表示部５０は、表示している単位個人情報に基づいて、色決定アルゴリズムに従って決定された色に着色されてもよい。また、性別が男性の場合、ある１つの単位表示部５０の色を第１色に決定し、性別が女性の場合、他の１つの単位表示部５０の色を第１色または第２色に決定し、これら以外の複数の単位表示部５０，・・・，５０の色を第３色に決定してもよい。
【００３８】
（色決定アルゴリズムの例２）
色決定アルゴリズムとして、予め定められた単位個人情報を表示している単位表示部５０，・・・，５０のうちの第ｎ（ｎは正の整数）番目の単位表示部５０の色を、生年月日又は識別番号などを表す所定の数字の総和をｎで除算して得られた余りに応じて決定するアルゴリズムを採用してもよい。
【００３９】
図１の例のように、生年月日が２００１年１月１日である場合、生年月日を表す数字の総和は、２＋０＋０＋１＋１＋１＝５である。そこで、例えば、予め定められた単位個人情報を識別番号４３ｄとすると、識別番号４３ｄを表示している第１番目の単位表示部５０の色を、５÷１の余り０に応じて第１色に決定し、第２番目の単位表示部５０の色を、５÷２の余り１に応じた第２色に決定し、第３番目の単位表示部５０の色を、５÷３の余り２に応じた第３色に決定し、他の第４〜第１０番目の単位表示部５０，・・・，５０の色も同様に決定してもよい。そして、他の単位個人情報を表示している単位表示部５０，・・・，５０の色を予め定められた色に決定してもよい。
【００４０】
つまり、この例２でも、各単位表示部５０の色は、個人情報に基づいて決定されている。より具体的には、予め定められた単位個人情報である識別番号４３ｄを表示している各単位表示部５０は、表示している単位個人情報とは異なる単位個人情報（生年月日４３ｃ）に基づいて、色決定アルゴリズムに従って決定された色に着色されている。
【００４１】
これらの例１，２のように、各単位表示部５０の色が個人情報に基づいて決定される場合、個人情報に含まれる複数の単位個人情報を用いることなどにより、単位表示部５０，・・・，５０の色の配列は、所有者毎に異なるようにすることもできる。
【００４２】
また、予め定められた単位個人情報を表示している各単位表示部５０が、表示している単位個人情報とは異なる単位個人情報に基づいて、色決定アルゴリズムに従って決定された色に着色されていることにより、表示している単位個人情報に基づいて決定された色に着色されている場合と比較して、色決定アルゴリズムをより解読され難くすることができる。
【００４３】
（色決定アルゴリズムの例３）
色決定アルゴリズムとして、ある１つの単位表示部５０、例えば識別番号４３ｄを表示している第１番目の単位表示部５０の色を、属性情報における個人情報表示体１０の発行年に応じて決定し、他の１つの単位表示部５０、例えば第２番目の単位表示部５０の色を、個人情報表示体１０の発行場所に応じて決定し、これら以外の複数の単位表示部、例えば第３〜第１０番目の単位表示部５０，・・・，５０および他の単位個人情報を表示している単位表示部５０，・・・，５０の色を予め定められた色に決定するアルゴリズムを採用してもよい。つまり、この例３では、各単位表示部５０の色は、属性情報に基づいて決定されている。
【００４４】
また、例１と同様に、発行年及び発行場所に加えて、属性情報に含まれる他の複数の情報も用いて複数の単位表示部５０，・・・，５０の色を決定してもよい。また、属性情報に含まれる複数の情報の何れか１つのみを用いて、ある１つの単位表示部５０の色を決定してもよい。
【００４５】
なお、言うまでもなく、以上の例１〜例３で説明したような識別番号４３ｄに限らず、氏名４３ａ、性別４３ｂなどの他の単位個人情報や属性情報などを表示している単位表示部５０，・・・，５０の色が所定の情報に応じて複数の色に決定されるようにしてもよい。
【００４６】
以上で説明した個人情報表示体１０では、まず、第２表示部４２によって表示される明瞭性に優れた像に基づいて、個人情報表示体１０の所持者の認証やこの個人情報表示体１０の真贋判定をより容易且つより正確に行うことができる。
【００４７】
また、第１表示部４１が表示する個人情報と第２表示部４２が表示する個人情報との比較により、個人情報表示体１０の真贋判定をさらに正確に行うことができるようになる。
【００４８】
加えて、色決定アルゴリズムを踏まえた上で、第３表示部４３によって表示される所定の情報と、複数の単位表示部５０，・・・，５０の色の配列とを比較することにより、個人情報表示体１０の真贋判定を更に正確に行うことができる。この結果として、この個人情報表示体１０は、より優れた偽造防止性を有することになる。
【００４９】
なお、第１から第３表示部４１，４２，４３は、種々の既知の方法により、作製され得る。一例として、昇華熱転写印画法により、表示体本体２０の第１オーバーシート層２８に色材を昇華熱転写することにより、第１から第３表示部４１，４２，４３を表示体本体２０上に形成することができる。表示体本体２０に熱転写される色材は、作製すべき第１から第３表示部４１，４２，４３に対応して種々の色を含めることができる。フルカラー画像により個人情報を表示する個人情報表示体１０では、イエロー・マゼンタ・シアン・黒の四色の色材、或いは、赤・緑・青・黒の四色の色材を、表示体本体２０に熱転写することになる。
【００５０】
他の例として、第１から第３表示部４１，４２，４３の少なくとも何れかを、レーザーエングレービング法により形成することができる。また、第２表示部４２および第３表示部４３が互いに異なる方法で形成されていてもよい。例えば、表示体本体２０の第１背景印刷層２５が、レーザー発色層として形成され、レーザーエングレービング法により、表示体本体２０の第１背景印刷層２５に個人情報等が記録されるようにしてもよい。
【００５１】
以上のように本実施形態によれば、各単位表示部５０は、個人情報表示体１０に表示された個人情報を含む所定の情報に基づいて、色決定アルゴリズムに従って決定された色に着色されている。これにより、色決定アルゴリズム、即ち色の決定方法を把握している発行者側は、色決定アルゴリズムを踏まえて、個人情報表示体１０に表示された個人情報を含む所定の情報と、単位表示部５０，・・・，５０の色の配列とを比較することにより、個人情報表示体１０の真贋判定を容易に行うことができる。
【００５２】
一方、複数の単位表示部５０，・・・，５０の色の配列がコード化した個人情報等を表していることは、第３者には分かり難い。そのため、第３者は、個人情報表示体１０を偽造するために、これらの色の配列までも個人情報等に応じて偽造する必要があることは容易に把握できない。その上、仮に第３者がこれらの色の配列も偽造する必要があることを把握したとしても、色決定アルゴリズムが分からない限り、個人情報表示体１０に表示された所定の情報に応じた正しい色に各単位表示部５０を着色することはできない。即ち、個人情報表示体１０の偽造は、極めて困難である。
【００５３】
したがって、本実施形態によれば、比較的に容易に製造され得る個人情報表示体１０に対して、極めて優れた偽造防止性を付与することができるとともに、この個人情報表示体１０を用いた所持者の認証やこの個人情報表示体１０の真贋判定を極めて容易且つ正確に行うことができる。
【００５４】
これらの効果に加え、単位表示部５０，・・・，５０の色が個人情報表示体１０の製造年などの属性を表すようにした場合、単位表示部５０，・・・，５０の色を確認するだけで製造年などの属性を把握できるので、個人情報表示体１０のロットを簡単に管理することもできる。
【００５５】
また、従来の個人情報表示体に設けられているバーコード等が表す情報を、複数の単位表示部５０，・・・，５０の色の配列が表すようにすれば、バーコード等を設ける専用の領域を用意する必要もなくなる。
【００５６】
このような本実施形態の個人情報表示体１０に対して、従来の個人情報表示体では、個人情報等をコード化したバーコード、二次元コード、ＯＣＲ等が券面に設けられている。このようなバーコード等は、コード化した個人情報等を表していることが容易に分かる。そのため、第３者は、個人情報表示体を偽造するためには、これらのバーコード等も偽造する必要があることを容易に把握できる。また、このようなバーコード等を設ける専用の領域を券面に用意する必要がある。
【００５７】
なお、図１に示された個人情報表示体１０は例示に過ぎない。例えば、第２表示部４２および第３表示部４３は、上述してきた例とは異なる個人情報を表示するようにしてもよい。さらに、第１〜第３の表示部４１，４２，４３に代えて或いは第１〜第３の表示部４１，４２，４３に加えて、他の表示部を個人情報表示体１０に設けるようにしてもよい。
【００５８】
また、１つの単位表示部５０は、次のような構成となっていてもよい。即ち、１つの単位表示部５０を平面視した際に、その単位表示部５０が表している文字、数字又は記号の輪郭（縁）の部分の色が所定の色であり、この輪郭の内側の部分からオーバーシート層２８又は背景印刷層２５の色が視認されるようになっていてもよい。つまり、この場合、文字、数字又は記号の輪郭の部分と、この輪郭の内側の部分から視認されるオーバーシート層２８又は背景印刷層２５の一部とが、１つの単位表示部５０として機能する。この単位表示部５０は、以上の説明と同様に、表示体本体２０に設けられている。輪郭の部分の所定の色と、輪郭の内側の部分から視認されるオーバーシート層２８又は背景印刷層２５の色との少なくとも何れかは、以上の説明と同様に、個人情報と属性情報の少なくとも何れかに基づいて、色決定アルゴリズムに従って決定された色である。この場合、輪郭の部分の色と、輪郭の内側の部分から視認される色とは、同じでもよく、異なってもよい。即ち、１つの単位表示部５０の色が１色からなってもよく、２色からなってもよい。
【００５９】
（第２の実施形態）
第２の実施形態では、第１の実施形態における複数の色に着色されている複数の単位表示部５０，・・・，５０のうちの少なくとも１つの単位表示部５０は、さらに蛍光発光材料を含んでいる。その他の構成は、第１の実施形態と同一であるため、説明を省略する。
【００６０】
ここで蛍光発光材料とは、予め定められた波長領域内の紫外線等の不可視光を照射された場合に可視光を発光する性質を有した材料である。これにより、蛍光発光材料を含む単位表示部５０の色は、予め定められた波長領域内の不可視光を照射された特別の条件下では、蛍光発光材料を含まない他の単位表示部５０の色とは異なる色として視認される。
【００６１】
一方、可視光下では、複数の単位表示部５０，・・・，５０からなる第３表示部４３は、第１の実施形態と同様に複数の色として視認されるため、第１の実施形態と同じ効果を得ることができる。
【００６２】
蛍光発光材料を含む単位表示部５０は、個人情報表示体１０に表示された個人情報を含む所定の情報に基づいて、予め定められたアルゴリズムに従って決定されている。
【００６３】
アルゴリズムとしては、個人情報表示体１０に表示された所定の情報に応じて蛍光発光材料を含む単位表示部５０を決定できれば、どのようなものを採用してもよく、第１の実施形態の色決定アルゴリズムに準じたものでもよい。
【００６４】
例えば、性別、生年月日等の個人情報に応じて蛍光発光材料を含む単位表示部５０を決定するアルゴリズムを採用してもよい。
【００６５】
この場合、例えば、性別が男性の場合、蛍光発光材料を含む単位表示部５０を、識別番号４３ｄを表す第１番目の単位表示部５０に決定し、一方、性別が女性の場合、蛍光発光材料を含む単位表示部５０を、この第１番目の単位表示部５０とは異なる単位表示部５０に決定してもよい。
【００６６】
単位表示部５０，・・・，５０の色を決定するために用いる単位個人情報と、蛍光発光材料を含む単位表示部５０を決定するために用いる単位個人情報とは、同じであってもよいが、異なる方が偽造防止性をより向上させることができると考えられる。
【００６７】
また、例えば、個人情報表示体１０の発行年、発行場所等の属性情報に応じて蛍光発光材料を含む単位表示部５０を決定するアルゴリズムを採用してもよい。
【００６８】
なお、蛍光発光材料を含む単位表示部５０は、種々の既知の方法により、作製され得る。一例として、熱転写印画法によって第１オーバーシート層２８に蛍光発光材料を熱転写することにより、蛍光発光材料を含む単位表示部５０を表示体本体２０の表層または表示体本体２０上に設けることができる。この場合、色材と蛍光発光材料の転写の順番に応じて、単位表示部５０を構成している色材の上又は下に蛍光発光材料が重ねて転写されることになる。また、図１に示された個人情報表示体１０の表示部４１，４２の少なくとも何れかが、ここで説明した蛍光発光材料を用いて形成されていてもよい。
【００６９】
以上のように本実施形態によれば、通常の可視光下では、複数の単位表示部５０，・・・，５０からなる第３表示部４３は、第１の実施形態と同様に複数の色として視認されるので、第１の実施形態と同じ効果が得られる。この可視光下では、少なくとも何れかの単位表示部５０が蛍光発光材料を含んでいることは第３者に知得され難いので、個人情報表示体１０の偽造防止性を格段に向上させることができる。
【００７０】
さらに、蛍光発光材料を含む単位表示部５０を決定するアルゴリズムを把握している発行者側は、アルゴリズムを踏まえて、個人情報表示体１０に表示された個人情報を含む所定の情報と、不可視光を照射されたときに発光している単位表示部５０とを比較することにより、個人情報表示体１０の真贋判定を容易に行うことができる。
【００７１】
一方、第３者は、不可視光を照射されたときに単位表示部５０が発光することが分かったとしても、アルゴリズムが分からない限り、個人情報表示体１０に表示された所定の情報に応じた正しい単位表示部５０を発光させることはできない。即ち、個人情報表示体１０の偽造は、第１の実施形態と比較して更に困難である。
【００７２】
なお、複数の単位表示部５０，・・・，５０のうちの２以上の単位表示部が互いに異なる蛍光発光材料を含むようにして、これら蛍光発光材料を含む２以上の単位表示部の色は、不可視光を照射されたとき複数の色として視認されるようにしてもよい。これにより、個人情報表示体１０の偽造防止性をさらに向上させることができる。
【００７３】
また、複数の単位表示部５０，・・・，５０からなる第３表示部４３は同色に着色されており、且つ、以上の説明と同様に決定された複数の単位表示部５０，・・・，５０のうちの少なくとも１つの単位表示部５０は、さらに蛍光発光材料を含んでいてもよい。この場合、通常の可視光下では、複数の単位表示部５０，・・・，５０からなる第３表示部４３は、従来の個人情報表示体と同様に同色として視認される。従って、第３者は、この個人情報表示体１０が従来の個人情報表示体とは異なる偽造防止性を有していることに容易に気付くことはできない。
【００７４】
以上、本発明を図示する実施の形態に基づいて説明したが、本発明はこれらの実施形態に限定されるものではなく、この他にも種々の態様で実施可能である。
【符号の説明】
【００７５】
１０  個人情報表示体
２０  表示体本体
３４  カバー層
４１  第１表示部
４２  第２表示部
４３  第３表示部
４３ａ  氏名（単位個人情報）
４３ｂ  性別（単位個人情報）
４３ｃ  生年月日（単位個人情報）
４３ｄ  識別番号（単位個人情報）
５０  単位表示部
【図１】
2014008730.tif 000003
【図２】
2014008730.tif 000004
【図３】
2014008730.tif 000005